(57)【特許請求の範囲】
【請求項１】
ディスクを収納するための樹脂製のディスク収納ケースであって、
前記ディスクを収納した際に前記ディスクを保持する矩形の部材であって、前記ディスクの出し入れ方向に沿った２辺を構成する第１端辺及び第２端辺を備えるとともに、前記第１端辺及び前記第２端辺とともに前記矩形の部材の外縁を構成する第３端辺及び第４端辺を備える第１ディスク保持部材と、
前記第１ディスク保持部材の前記第１端辺で折り返し、前記第１ディスク保持部材に対して前記第３端辺近傍で溶着部によって固定されており、前記第１ディスク保持部材との間で前記ディスクを挟み込んで保持する第２ディスク保持部材と、
前記第１ディスク保持部材の前記第２端辺で折り返し、前記第１ディスク保持部材に対して前記第３端辺近傍で溶着部によって固定されており、前記第１ディスク保持部材との間で前記ディスクを挟み込んで保持する第３ディスク保持部材と、
前記第１ディスク保持部材の前記第４端辺にて前記第１ディスク保持部材に対して折り畳み可能なカバー部材と、
前記第１ディスク保持部材の前記第３端辺で折り返して前記第２ディスク保持部材及び前記第３ディスク保持部材と前記第１ディスク保持部材との間に配置するシート部材であって、折り返した前記第２ディスク保持部材及び前記第３ディスク保持部材並びに前記第１ディスク保持部材とともに前記第３端辺近傍で溶着部によって固定された中間部材と、
を有することを特徴とするディスク収納ケース。
【請求項２】
請求項１記載のディスク収納ケースにおいて、
前記第２ディスク保持部材及び前記第３ディスク保持部材と前記第１ディスク保持部材との間に前記ディスクが収納された際に、前記第３端辺付近における前記ディスクの先端部が当たる前記第２ディスク保持部材及び前記第３ディスク保持部材の少なくとも一方の部分に切り欠き部が形成されていることを特徴とするディスク収納ケース。
【請求項３】
請求項１又は２記載のディスク収納ケースにおいて、
前記第２ディスク保持部材及び前記第３ディスク保持部材と前記第１ディスク保持部材との間には、前記ディスクのディスク面を保護する保護部材が配置していることを特徴とするディスク収納ケース。
【請求項４】
請求項１又は３記載のディスク収納ケースにおいて、
前記保護部材と前記第１ディスク保持部材との間に形成された隙間であって、前記ディスクを装飾するジャケットの少なくとも一部を挿入可能なジャケット収納部を有することを特徴とするディスク収納ケース。
【請求項５】
ディスクを収納するための樹脂製のディスク収納ケースの製造方法であって、
前記ディスクを収納した際に前記ディスクを保持する矩形の第１ディスク保持部材と、前記ディスクの出し入れ方向に沿った前記第１ディスク保持部材の２辺を構成する第１端辺及び第２端辺を介して各々連続している第２ディスク保持部材及び第３ディスク保持部材と、前記第１端辺及び前記第２端辺とともに前記第１ディスク保持部材の外縁を構成する第３端辺及び第４端辺のうち前記第４端辺を介して連続するカバー部材とを有する、シート部材を形成するシート部材形成ステップと、
前記第２ディスク保持部材を前記第１端辺で折り返して前記第１ディスク保持部材に対向させるとともに、前記第３ディスク保持部材を前記第２端辺で折り返して前記第１ディスク保持部材に対向させるディスク保持部材折り返しステップと、
折り返した前記第２ディスク保持部材及び前記第３ディスク保持部材並びに前記第１ディスク保持部材とともに前記第３端辺近傍で溶着部によって固定する溶着ステップと、
前記カバー部材を前記第４端辺にて折り返して前記第１ディスク保持部材に対して折り畳み可能とするカバー部材形成ステップと、
を有し、
前記シート形成ステップでは、前記シート部材に、前記第２ディスク保持部材及び前記第３ディスク保持部材と前記第１ディスク保持部材との間に前記ディスクが収納された際に、前記第３端辺付近における前記ディスクの先端部が当たる前記第２ディスク保持部材及び前記第３ディスク保持部材の少なくとも一方の部分に切り欠き部を形成しておくこと
を特徴とするディスク収納ケースの製造方法。
【発明の詳細な説明】
【技術分野】
【０００１】
本発明は、コンパクトディスク、デジタルバーサタイルディスクなどのディスクを収納するためのディスク収納ケース及びその製造方法に関するものである。
【背景技術】
【０００２】
例えば、コンパクトディスク等、ディスク状の情報記憶媒体（以下、単に「ディスク」と呼ぶ）を収納するためのディスク収納ケースの一例として、従来、例えば特許文献１記載の収納ケース（以下、「従来の収納ケース」と呼ぶ）が知られている。
【０００３】
従来の収納ケースは、コンパクトディスク等の情報記録媒体を、次のような収容部に収納する収納ケースである。従来の収納ケースでは、シート部材（後述する第５シート部材に相当）に接着された保護シート部材によってこれらの間の隙間によって収納部が形成され、この収納部にコンパクトディスクなどの情報記録媒体を収納することができる。
【０００４】
具体的には、第５シート部材は、保護シート部材と略重なり合う形状に形成されている。第５シート部材と保護シート部材とは、この第５シート部材におけるコの字状の接着部と、保護シート部材におけるコの字状の接着部とが重ね合わされた状態で、熱用着又は縫合などの種々の手段を用いて接着される。この収容部は、接着部が存在しない１辺が開口部を形成しており、この開口部からコンパクトディスクを収納又は取り出しが可能な構成となる。
【０００５】
【特許文献１】特開２００３−２９２０７９号公報
【発明の開示】
【発明が解決しようとする課題】
【０００６】
しかしながら従来の収納ケースにおいては、このような構成の収納部を備えていると、コンパクトディスクの出し入れ方向に対して垂直な方向において、コンパクトディスクの直径のみならず両端の接着部分（上述したコの字の部分）の幅を余分に必要としてしまい、小型化を図ることができなかった。
【０００７】
本発明の目的は、ディスクの出し入れ方向に垂直な方向における幅を小さくすることで、全体として小型化を図ることができるディスク収納ケース及びその製造方法を提供することにある。
【課題を解決するための手段】
【０００８】
上記目的を達成するために、本願第１発明のディスク収納ケースは、ディスクを収納するための樹脂製のディスク収納ケースであって、前記ディスクを収納した際に前記ディスクを保持する矩形の部材であって、前記ディスクの出し入れ方向に沿った２辺を構成する第１端辺及び第２端辺を備えるとともに、前記第１端辺及び前記第２端辺とともに前記矩形の部材の外縁を構成する第３端辺及び第４端辺を備える第１ディスク保持部材と、前記第１ディスク保持部材の前記第１端辺で折り返し、前記第１ディスク保持部材に対して前記第３端辺近傍で溶着部によって固定されており、前記第１ディスク保持部材との間で前記ディスクを挟み込んで保持する第２ディスク保持部材と、前記第１ディスク保持部材の前記第２端辺で折り返し、前記第１ディスク保持部材に対して前記第３端辺近傍で溶着部によって固定されており、前記第１ディスク保持部材との間で前記ディスクを挟み込んで保持する第３ディスク保持部材と、前記第１ディスク保持部材の前記第４端辺にて前記第１ディスク保持部材に対して折り畳み可能なカバー部材と、前記第１ディスク保持部材の前記第３端辺で折り返して前記第２ディスク保持部材及び前記第３ディスク保持部材と前記第１ディスク保持部材との間に配置するシート部材であって、折り返した前記第２ディスク保持部材及び前記第３ディスク保持部材並びに前記第１ディスク保持部材とともに前記第３端辺近傍で溶着部によって固定された中間部材とを有することを特徴とする。
【０００９】
本願第１発明においては、第１ディスク保持部材の第１端辺及び第２端辺がそれぞれ折り返しにより構成されているため、例えば溶着に必要な部分を必要とせず、ディスクの出し入れ方向にほぼ垂直な方向において幅を小さくすることができる。従って、このディスク収納ケースは全体として小型化を図ることができる。
また、第２ディスク保持部材及び第３ディスク保持部材と第１ディスク保持部材との間に配置する中間部材は、これら第２ディスク保持部材及び第３ディスク保持部材と第１ディスク保持部材との間に２つの隙間を形成する。すると、第２ディスク保持部材及び第３ディスク保持部材と中間部材との間の隙間にはディスクを収納することができる一方、この中間部材と第１ディスク保持部材との隙間には、例えばディスクに関するジャケットを収納することができる。また、このディスク収納ケースは、中間部材が存在しているため、ディスクを収納した際に、第２ディスク保持部材及び第３ディスク保持部材と第１ディスク保持部材とでディスクを保持するのみならず、中間部材でもディスクを保持することになるため、これら第１ディスク保持部材、第２ディスク保持部材及び第３ディスク保持部材の厚みを従来よりも薄くしても、従来のディスク収納ケースと同程度の強度を確保することができる。
【００１０】
第２の発明は、上記第１発明において、前記第２ディスク保持部材及び前記第３ディスク保持部材と前記第１ディスク保持部材との間に前記ディスクが収納された際に、前記第３端辺付近における前記ディスクの先端部が当たる前記第２ディスク保持部材及び前記第３ディスク保持部材の少なくとも一方の部分に切り欠き部が形成されていることを特徴とする。
【００１１】
これにより、第２ディスク保持部材及び第３ディスク保持部材と第１ディスク保持部材との間にディスクが収納された際に、ディスクの先端部を切り欠き部に嵌め込みディスクをさらに奥に収納することができるため、ディスクの出し入れ方向におけるサイズを小さくすることができる。
【００１４】
第３の発明は、上記第１発明又は第２発明において、前記第２ディスク保持部材及び前記第３ディスク保持部材と前記第１ディスク保持部材との間には、前記ディスクのディスク面を保護する保護部材が配置していることを特徴とする。
【００１５】
これにより、第２ディスク保持部材及び第３ディスク保持部材と第１ディスク保持部材との間にディスクを収納すると、ディスク面が保護部材によって保護され、傷が付きにくくなる。さらにこのディスク収納ケースでは、ディスクの両面に保護部材が配置しないため、ディスクを出し入れし易いながらディスク面を確実に保護することができる。
【００１６】
第４の発明は、上記第１発明又は第３発明において、前記保護部材と前記第１ディスク保持部材との間に形成された隙間であって、前記ディスクを装飾するジャケットの少なくとも一部を挿入可能なジャケット収納部を有することを特徴とする。
【００１７】
これにより、見開き可能なジャケットの一方のページをこのジャケット収納部に挿入することで、このジャケットを見開きの状態で収納することができる。
【００１８】
上記目的を達成するために、本願第５発明のディスク収納ケースの製造方法は、ディスクを収納するための樹脂製のディスク収納ケースの製造方法であって、前記ディスクを収納した際に前記ディスクを保持する矩形の第１ディスク保持部材と、前記ディスクの出し入れ方向に沿った前記第１ディスク保持部材の２辺を構成する第１端辺及び第２端辺を介して各々連続している第２ディスク保持部材及び第３ディスク保持部材と、前記第１端辺及び前記第２端辺とともに前記第１ディスク保持部材の外縁を構成する第３端辺及び第４端辺のうち前記第４端辺を介して連続するカバー部材とを有する、シート部材を形成するシート部材形成ステップと、前記第２ディスク保持部材を前記第１端辺で折り返して前記第１ディスク保持部材に対向させるとともに、前記第３ディスク保持部材を前記第２端辺で折り返して前記第１ディスク保持部材に対向させるディスク保持部材折り返しステップと、折り返した前記第２ディスク保持部材及び前記第３ディスク保持部材並びに前記第１ディスク保持部材とともに前記第３端辺近傍で溶着部によって固定する溶着ステップと、前記カバー部材を前記第４端辺にて折り返して前記第１ディスク保持部材に対して折り畳み可能とするカバー部材形成ステップとを有し、前記シート形成ステップでは、前記シート部材に、前記第２ディスク保持部材及び前記第３ディスク保持部材と前記第１ディスク保持部材との間に前記ディスクが収納された際に、前記第３端辺付近における前記ディスクの先端部が当たる前記第２ディスク保持部材及び前記第３ディスク保持部材の少なくとも一方の部分に切り欠き部を形成しておくことを特徴とする。
【００１９】
本願第５発明においては、ディスク保持部材折り返しステップでは、第２ディスク保持部材及び第３ディスク保持部材を第１ディスク保持部材に溶着する代わりに、各々第１端辺及び第２端辺で折り返しにより第２ディスク保持部材及び第３ディスク保持部材を第１ディスク保持部材に対応させている。このためディスク収納ケースは、第１端辺及び第２端辺のいずれにもこれらを溶着する溶着部を形成する必要がないため、ディスクの出し入れ方向に垂直な幅方向において幅を小さくすることができる。このため、この製造方法により製造されたディスク収納ケースは、全体として従来よりも小型化を図ることができる。
【００２１】
また、第２ディスク保持部材及び第３ディスク保持部材と第１ディスク保持部材との間にディスクが収納された際に、ディスクの先端部を切り欠き部に嵌め込みディスクをさらに奥に収納することができるため、ディスクの出し入れ方向におけるサイズを小さくすることができる。
【発明の効果】
【００２２】
本発明によれば、ディスクの出し入れ方向に垂直な方向における幅を小さくすることで、全体として小型化を図ることができる。
【発明を実施するための最良の形態】
【００２３】
以下、本発明の一実施の形態を図面を参照しつつ説明する。本実施形態は、情報記録媒体の一例としてコンパクトディスクを収納するディスク収納ケースに本発明を適用した場合の実施形態である。なお、以下の実施形態では、説明の都合上、上部及び下部という用語を用いるが、これらは図示したように配置した場合に上部であるか下部であるかを表しており、使用の態様に応じて各部材の位置が必ずしもそのように上部や下部に固定される訳ではない。
【００２４】
図１は、本実施形態のディスク収納ケース１の全体構造を表す斜視図である。このディスク収納ケース１は、コンパクトディスクなどの情報記録媒体を収納するためのケースである。以下の説明では、このような情報記録媒体のうちディスク形状の物を「ディスク」と総称する。このディスク収納ケース１は、樹脂などの比較的柔らかい素材を材料とする半透明ないわゆるソフトケースである。
【００２５】
このディスク収納ケース１の構成としては、収納部本体４及びカバー部材５を有し、収納部本体４は、ベース部材３、上部ディスク保持部材７ａ、下部ディスク保持部材７ｂ、不織布１１及び中間部材１０を有する。なお、この中間部材１０は後述するように省略することもできる。
【００２６】
ベース部材３は、後述するディスクを収納した際にディスクを保持する矩形の部材である。このベース部材３は、ディスクの出し入れ方向Ｘに沿った２辺を構成する第１端辺３ａ及び第２端辺３ｂを備える。さらにこのベース部材３は、これら第１端辺３ａ及び第２端辺３ｂとともに上述した矩形の部材の外縁を構成する第３端辺３ｃ及び第４端辺３ｄを備えている。
【００２７】
つまりベース部材３は、第１端辺３ａ、第２端辺３ｂ、第３端辺３ｃ及び第４端辺３ｄを外縁とする矩形の部材となっている。この矩形のベース部材３は、ディスクの出し入れ方向Ｘ及び幅方向Ｙにおいてほぼ等しい長さとなっており、ほぼ正方形を構成している。これらディスクの出し入れ方向Ｘ及び幅方向Ｙにおける上述した各辺３ａなどの長さは、それぞれディスクの直径にほぼ等しい構成となっている。
【００２８】
上部ディスク保持部材７ａは、ベース部材３の第１端辺３ａで折り返して構成されており、ベース部材３との間で上記ディスクを挟み込んで保持する部材である。一方、下部ディスク保持部材７ｂは、ベース部材３の第２端辺３ｂで折り返して構成されており、ベース部材３との間で上記ディスクを挟み込んで保持する部材である。ここで、これら上部ディスク保持部材７ａ及び下部ディスク保持部材７ｂは、それぞれ第１端辺３ａ及び第２端辺３ｂで、ベース部材３に対して溶着によらず折り返しによりベース部材３に対向するように構成されるため、上記幅方向Ｙにおいて溶着に必要なスペースを必要としない。
【００２９】
中間部材１０は、ベース部材３の第３端辺３ｃで折り返して構成して上部ディスク保持部材７ａ及び下部ディスク保持部材７ｂとベース部材３との間に配置するシート部材である。この中間部材１０は、折り返した上部ディスク保持部材７ａ及び下部ディスク保持部材７ｂ並びにベース部材３とともに第３端辺３ｃ近傍で溶着部７ｅ，７ｆで固定されている。なお、上述したように中間部材１０を省略する場合には、これら折り返した上部ディスク保持部材７ａ及び下部ディスク保持部材７ｂがベース部材３に対して第３端辺３ｃ近傍で各々溶着部７ｅ，７ｆにより固定される。
【００３０】
またこの中間部材１０には、上部ディスク保持部材７ａ及び下部ディスク保持部材７ｂに対向する面に、ディスク１３のディスク面１３ａを保護する不織布１１（保護部材に相当）が配置されている。なおこの不織布１１は省略することもできる。また、上述したように中間部材１０を省略した場合には、上部ディスク保持部材７ａ及び下部ディスク保持部材７ｂとベース部材３との間に、この不織布１１が存在する構成となる。このディスク収納ケース１は、この不織布１１と上部ディスク保持部材７ａ及び下部ディスク保持部材７ｂとの間にディスク１３を挿入することで、ディスク１３のディスク面１３ａを不織布１１で保護しつつディスク１３を保持することができる。
【００３１】
上述した上部ディスク保持部材７ａ及び下部ディスク保持部材７ｂは、第３端辺３ｃに沿ってベース部材３に溶着されている。なお、この中間部材１０が存在する場合には、上部ディスク保持部材７ａ及び下部ディスク保持部材７ｂが第３端辺３ｃに沿ってこの中間部材１０を介してベース部材３に溶着されている。具体的には、上部ディスク保持部材７ａは、第３端辺３ｃにおいて溶着部７ｅにて中間部材１０とともにベース部材３に固定されている。一方、下部ディスク保持部材７ｂは、第３端辺３ｃにおいて溶着部７ｆにて中間部材１０とともにベース部材３に固定されている。
【００３２】
カバー部材５は、上述したベース部材３とほぼ同様の面積を有する矩形の部材である。このカバー部材５は、ベース部材３の第４端辺３ｄにてベース部材３に対して折り畳み可能な部材である。この折り畳んだ状態については後述する。このカバー部材５は、上述したベース部材３と一体であるが、第４端辺３ｄにて連続した構成となっている。
【００３３】
カバー部材５は、カバー部材本体５ａ、上部ジャケット保持部５ｂ及び下部ジャケット保持部５ｃを有する。カバー部材本体５ａは、上述した第３端辺３ｃでベース部材３に対して折り畳むと、上述したようにベース部材３で保持したディスクを覆って保護することができる。
【００３４】
上部ジャケット保持部５ｂは、カバー部材本体５ａとは一体であるが、カバー部材本体５ａの第５端辺５ｄで折り返して幅方向Ｙにおいてカバー部材本体５ａの下端（第６端辺５ｅ）に向けて延びるほぼ矩形の半片である。
【００３５】
下部ジャケット保持部５ｃは、カバー部材本体５ａとは一体であるが、カバー部材本体５ａの第６端辺５ｅを折り返して幅方向Ｙにおいてカバー部材本体５ａの上端（第５端辺５ｄ）に向けて延びるほぼ矩形の半片である。
【００３６】
これら上部ジャケット保持部５ｂ及び下部ジャケット保持部５ｃは、それぞれ上端の第５端辺５ｄ及び下端の第６端辺５ｅから延びて、カバー部材本体５ａとの間に隙間を形成している。この隙間には、後述するジャケット８の一端が差し込めるようになっている。
【００３７】
上述した上部ジャケット保持部５ｂ及び下部ジャケット保持部５ｃは、第７端辺５ｆに沿ってベース部材３に溶着されている。具体的には、上部ジャケット保持部５ｂは、第７端辺５ｆにおいて溶着部５ｇにてベース部材３に固定されている。一方、下部ディスク保持部材７ｂは、第３端辺３ｃにおいて溶着部５ｈにてベース部材３に固定されている。
【００３８】
ジャケット８は、このディスク収納ケース１に収納可能なディスクに記憶させているコンテンツに関する情報が記載されている。このジャケット８は、例えばディスクの出し入れ方向Ｘに沿って延びる帯状の紙部材であり、幅方向Ｙに形成された折り込み部分を中心として折り畳むことができる。
【００３９】
図２は、図１に示すディスク収納ケース１を折り畳んだ状態の一例を示す斜視図である。
図示の例では、カバー部材本体５ａがベース部材３に対して第３端辺３ｃにおいて折り畳まれた状態を表している。この状態では、仮にディスクを収納していても不透明なジャケット８が装着されている場合にはディスクは露出せず、半透明なカバー部材本体５ａを透過してそのジャケット８を視認することができる。また、この状態では、ディスク収納ケース１は、このカバー部材５及びベース部材３によって内蔵物（例えばディスク）を保護することができる。
【００４０】
図３及び図４は、それぞれ図１に示すディスク収納ケース１のベース部材３の断面構成例を表す部分断面図である。
図３に示すようにディスク収納ケース１は、上部ディスク保持部材７ａ及び下部ディスク保持部材７ｂと上記不織布１１との間の隙間にディスク１３を挿入することで、これら上部ディスク保持部材７ａ及び下部ディスク保持部材７ｂと不織布１１との間で形成された隙間にディスク１３を差し込むことができる。
【００４１】
このディスク収納ケース１は、上述のようにベース部材３の上端である第１端辺３ａ及び第２端辺３ｂが各々溶着ではなく折り返し構造によって形成されているため、ディスク１３の端部が、上部ディスク保持部材７ａと不織布１１との間の隙間のうち第１端辺３ａの部分に奥まで近接するようになる。一方、このディスク１３の端部は、そのような折り返し構造によって、下部ディスク保持部材７ｂ及び不織布１１との間の隙間のうち第２端辺３ｂの部分に奥まで近接するようになる。
【００４２】
またディスク収納ケース１は、差し込み始めたディスク１３をさらに差し込むことで、図４に示すように上部ディスク保持部材７ａ及び下部ディスク保持部材７ｂと不織布１１との間の隙間にディスク１３を収納することができる。この状態では、例えばディスク１３の一方の面に情報を記憶させているタイプである場合、このディスク１３の一面に不織布１１が接するようにしておけば、ディスク１３の記録面を保護することができる。
【００４３】
なお、ディスク１３を収納したディスク収納ケース１は、ディスクの出し入れ方向Ｘに沿って左に向けてディスク１３を引き出すことで、このディスク１３を取り出すことができる。
【００４４】
図５は、図３に示すディスク収納ケース１の第１端辺３ａ近傍をＡ−Ａ’線で切断した場合における断面図である。なお図５においては、代表として第１端辺３ａ近傍を図示しているが、左右関係を除いて、第２端辺３ｂ近傍もほぼ同様の構成となっている。
【００４５】
ディスク収納ケース１は、上述のようにベース部材３から連続する上部ディスク保持部材７ａが、第１端辺３ａにてこのベース部材３に対して折り返した構成となっている。
【００４６】
このディスク収納ケース１には、これらベース部材３と上部ディスク保持部材７ａとの間の内周面によって構成される空間として、ディスク収納部４ａが形成される。このディスク収納ケース１は中間部材１０を備える場合、このディスク収納部４ａ内にこの中間部材１０が配置している。
【００４７】
中間部材１０は、上部ディスク保持部材７ａ（第２ディスク保持部材）及び下部ディスク保持部材７ｂ（第３ディスク保持部材）とベース部材３（第１ディスク保持部材）との間に広がるシート部材である。この中間部材１０とベース部材３との間には、上述のようにジャケット収容部４ｂが形成されている。
【００４８】
この中間部材１０上には、そのほぼ一面にわたり上述した不織布１１が配置されている。この不織布１１は、その一部がこの中間部材１０に溶着により固定されている。
【００４９】
また、中間部材１０とベース部材３との間にはジャケット収容部４ｂが存在している。このジャケット収容部４ｂは、それら中間部材１０とベース部材３との間に形成された隙間であって、ディスク５を装飾するジャケット８の少なくとも一部を挿入可能な構成となっている。
【００５０】
図６は、図４に示すディスク収納ケース１にディスク１３を収納して第１端辺３ａ近傍をＡ−Ａ’線で切断した場合における部分断面図である。なお図６においては、代表として第１端辺３ａの近傍を図示しているが、左右関係を除いて、第２端辺３ｂ近傍もほぼ同様の構成となっている。また図６においては、このディスク収納ケース１に収納したディスク１３自体は切断しておらず側面から見た場合の構成を示している。
【００５１】
ディスク収納ケース１には、上記収容部４ａ内にディスク１３が収容されている。ディスク１３は、そのディスク面１３ａが不織布１１に密着するように収容されており、不織布１１によってディスク面１３ａが保護されている。
【００５２】
またこのディスク収納ケース１は、第１端辺３ａ付近において、ベース部材３と上部ディスク保持部材７ａとが別体でありこれらベース部材３と上部ディスク保持部材７ａとを溶着することが必要ないため、ディスク１３の側方における隙間１４ｂが従来よりも小さくなる。このためディスク収納ケース１は、幅方向Ｙにおいて幅を従来よりも狭くすることができるため、全体として小型化を図ることができる。
【００５３】
図７は、図４に示すディスク１３を収容しているディスク収納ケース１の収納部本体４の一部を拡大した構成例を示す正面図である。なお図７においては、収納済みのディスク１３が、例えば半透明な上部ディスク保持部材７ａ及び下部ディスク保持部材７ｂを介して視認可能となっている。
【００５４】
ディスク１３は、そのディスク１３の中心の穴から露出している不織布１１と、上部ディスク保持部材７ａ及び下部ディスク保持部材７ｂとに密着しつつ挟み込まれている。
【００５５】
このディスク収納ケース１には、上部ディスク保持部材７ａ（第２ディスク保持部材）及び下部ディスク保持部材７ｂ（第３ディスク保持部材）とベース部材３（第１ディスク保持部材）との間にディスク１３が収納された際に、第３端辺３ｃ付近におけるディスク１３の先端部が当たる上部ディスク保持部材７ａ及び下部ディスク保持部材７ｂの少なくとも一方の部分に切り欠き部７ｃ，７ｄが形成されている。本実施形態では、この切り欠き部７ｃ，７ｄが一例として次のような構成となっている。
【００５６】
上部ディスク保持部材７ａには、その第３端辺３ｃ付近の少なくとも一部に上部切り欠き部７ｃが形成されており、下部ディスク保持部材７ｂには、その第３端辺３ｃ付近の少なくとも一部に下部切り欠き部７ｄが形成されている。これら上部切り欠き部７ｃ及び下部切り欠き部７ｄは、それぞれ、ディスク１３が収納された場合にディスク１３の先端が第３端辺３ｃよりもディスクの出し入れ方向Ｘにおいてはみ出ない程度の範囲で、このディスク１３をできるだけ第３端辺３ｃの近傍まで近づけて収納させるために形成されている。
【００５７】
従って、このディスク１３がディスク収納ケース１に収容されると、このディスク１３の一部が、上部ディスク保持部材７ａの上部切り欠き部７ｃから露出しているとともに、下部ディスク保持部材７ｂの下部切り欠き部７ｄから露出している。
【００５８】
図８及び図９は、それぞれディスク収納ケース１にジャケット８を装着する様子の一例を示す斜視図である。
ジャケット８をディスク収納ケース１に装着するには、まず、図８に示すようにジャケット８の一方のページをこのジャケット収容部４ｂに挿入するとともに、図９に示すようにこのジャケット８の他方のページを、カバー部材５と上部ディスク保持部材７ａ及び下部ディスク保持部材７ｂとの間に形成された隙間に挿入していく。すると、図１に示すようにディスク収納ケース１には、ジャケット８を着脱可能に装着することができる。
【００５９】
ディスク収納ケース１は以上のような構成であり、次に図１〜図９を参照しつつディスク収納ケース１の製造方法について図面を用いて簡単に説明する。
【００６０】
＜シート部材＞
図１０及び図１１は、それぞれ図１に示すディスク収納ケース１を製造するためのシート部材を広げた構成例を示す正面図である。なお図１０は、例えば樹脂製のシート部材を表しており、図１１は、上述した不織布１１の構成例を表している。
【００６１】
ディスク収納ケース１を製造するためのシート部材としては、例えば図示のような構成を採用することができる。具体的には、このシート部材は、そのほぼ中心にベース部材３が配置している。
【００６２】
このベース部材３には、その第１端辺３ａを介して上部ディスク保持部材７ａが連続した構成となっており、その第２端辺３ｂを介して下部ディスク保持部材７ｂが連続した構成となっている。このベース部材３には、その第３端辺３ｃを介して中間部材１０が連続した構成となっている。なお、上述したように中間部材１０が存在しない構成を採用した場合、このベース部材３は中間部材１０が存在せず第３端辺３ｃにて端部となっている。また、このベース部材３には、その第４端辺３ｄを介してカバー部材５が連続した構成となっている。
【００６３】
また、このカバー部材５には、第５端辺５ｄを介して上部ジャケット保持部５ｂが連続した構成となっており、その第６端辺５ｅを介して下部ジャケット保持部５ｃが連続した構成となっている。
【００６４】
このシート部材においては、上部ディスク保持部材７ａに切り欠き部７ｃが形成されているとともに、下部ディスク保持部材７ｂに切り欠き部７ｄが形成されている。つまり、このシート部材においては、上部ディスク保持部材７ａ及び下部ディスク保持部材７ｂとベース部材３との間にディスク１３が収納された際に、第３端辺３ｃ付近におけるディスク１３の先端部が当たる上部ディスク保持部材７ａ及び下部ディスク保持部材７ｂの少なくとも一方の部分に切り欠き部７ｃ，７ｄが形成されている。
【００６５】
上述したディスク収納ケース１を製造するためのシート部材としては、図１１に示すような不織布１１も用いる。この不織布１１は、例えば、上述した中間部材１０とほぼ同様の形状の部材を採用しているが、ディスク１３のディスク面１３ａを保護することができる形態であればどのような形状であってもよい。
【００６６】
＜組立て方法＞
図１２〜図１８は、図１０及び図１１に各々示すシート部材からディスク収納ケース１を製造する手順の一例を示す斜視図である。なお上部ジャケット保持部５ｂ及び下部ディスク保持部材７ｂ並びに上部ジャケット保持部５ｂ及び下部ジャケット保持部５ｃは、様々な形状を採用することができる。
【００６７】
まず、図１２に示すような樹脂製の半透明なシート部材を用意する。このシート部材においては、第１端辺３ａ、第２端辺３ｂ、第３端辺３ｃ、第４端辺３ｄ、第５端辺５ｄ及び第６端辺５ｅに、シート部材を折り返し易いように浅く切り込みを入れておくようにしても良い。このシート部材においては、中間部材１０の裏面に不織布１１が溶着により固定されている。この不織布１１は、第３端辺３ｃの対辺付近の部分が溶着により中間部材１０に固定されている。
【００６８】
＜中間部材折り返しステップ＞
次に、このシート部材は、その中間部材１０の部分が第３端辺３ｃを中心としてＲ１方向に折り返され、このシート部材は、図１３に示すような形態となる。この形態では、中間部材１０がベース部材３に対向するように重なって一致して密着している。なお、上述したように中間部材１０が存在しない構成である場合、この中間部材折り返しステップを省略することができ、上述したように不織布１１を中間部材１０に固定する代わりに、そのベース部材３に不織布１１を重ねて配置しておく。
【００６９】
＜ディスク保持部材折り返しステップ＞
次に、このシート部材は、図１４に示すように上部ディスク保持部材７ａが第１端辺３ａで折り返されて不織布１１に密着している一方、下部ディスク保持部材７ｂが第２端辺３ｂで折り返されて不織布１１に密着している。このように折り返された上部ディスク保持部材７ａ及び下部ディスク保持部材７ｂは、不織布１１を覆うとともにベース部材３に対向するように配置している。
【００７０】
＜溶着ステップ＞
次に、このシート部材は、この状態で、図１５に示すように上部ディスク保持部材７ａ及び下部ディスク保持部材７ｂとベース部材３とが不織布１１などを挟み込んだ状態で、第３端辺３ｃ付近にて溶着により固定される。
【００７１】
この溶着された部分は、第３端辺３ｃに沿って、上部ディスク保持部材７ａには溶着部７ｅとして形成されており、下部ディスク保持部材７ｂには溶着部７ｆとして形成されている。このような構成によれば、第１端辺３ａ付近及び第２端辺３ｂ付近のいずれでも溶着する必要がなくなる。このため、用意すべきシート部材は幅方向Ｙにおいて従来よりも小さくなる。
【００７２】
次に、このシート部材は、この状態で、図１６に示すように上部ジャケット保持部５ｂが第５端辺５ｄで折り返されてカバー部材５に密着するとともに、下部ジャケット保持部５ｃが第６端辺５ｅで折り返されてカバー部材５に密着する。
【００７３】
次に、このシート部材は、このように上部ジャケット保持部５ｂ及び下部ジャケット保持部５ｃがカバー部材５に密着した状態で第７端辺５ｆに沿って溶着されることで固定される。この溶着部分は、第７端辺５ｆに沿って、上部ジャケット保持部５ｂには溶着部５ｇとして形成されており、下部ジャケット保持部５ｃには溶着部５ｈとして形成されている。このようにしてベース部材３、中間部材１０、不織布１１、上部ディスク保持部材７ａ及び下部ディスク保持部材７ｂで構成される収納部本体４が形成される。なお、中間部材１０を省略した構成の場合、この収納部本体４は、ベース部材３、不織布１１、上部ディスク保持部材７ａ及び下部ディスク保持部材７ｂによって構成される。
【００７４】
＜カバー部材形成ステップ＞
次に、このシート部材は、カバー部材５が収納部本体４に対して第３端辺３ｃを中心として、図１７に示すようにＲ方向に折り返される。次に、このシート部材は、図１８に示すようにさらにカバー部材５が折り返されて収納部本体４に対面するようになり、これらカバー部材５及び収納部本体４によりディスク収納ケース１が完成する。
【００７５】
上記実施形態におけるディスク収納ケース１は、ディスク１３を収納するための樹脂製のケースである。このディスク収納ケース１は、ディスク１３を収納した際にディスク１３を保持する矩形の部材であって、ディスク１３の出し入れ方向Ｘに沿った２辺を構成する第１端辺３ａ及び第２端辺３ｂを備えるとともに、それら第１端辺３ａ及び第２端辺３ｂとともに上記矩形の部材の外縁を構成する第３端辺３ｃ及び第４端辺３ｄを備えるベース部材３（第１ディスク保持部材に相当）と、そのベース部材３の第１端辺３ａで折り返し、ベース部材３に対して第３端辺３ｃ近傍で溶着部７ｅによって固定されており、そのベース部材３との間でディスク１３を挟み込んで保持する上部ディスク保持部材７ａ（第２ディスク保持部材に相当）と、上記ベース部材３の第２端辺３ｂで折り返し、ベース部材３に対して第３端辺３ｃ近傍で溶着部７ｆによって固定されており、ベース部材３との間でディスク１３を挟み込んで保持する下部ディスク保持部材７ｂ（第３ディスク保持部材に相当）と、ベース部材３の第４端辺３ｄにてベース部材３に対して折り畳み可能なカバー部材５とを有する。
【００７６】
以上説明したように、本実施形態のディスク収納ケース１によれば、ベース部材３の第１端辺３ａ及び第２端辺３ｂがそれぞれ折り返しにより構成されているため、例えば溶着に必要な部分を必要とせず、ディスク１３の出し入れ方向Ｘにほぼ垂直な方向Ｙ（幅方向に相当）において幅を小さくすることができる。従って、このディスク収納ケース１は全体として小型化を図ることができる。
【００７７】
上記実施形態におけるディスク収納ケース１は、上述した構成に加えてさらに、上部ディスク保持部材７ａ及び下部ディスク保持部材７ｂとベース部材３との間にディスク１３が収納された際に、第３端辺３ｃ付近におけるディスク１３の先端部が当たる上部ディスク保持部材７ａ及び下部ディスク保持部材７ｂの少なくとも一方の部分に切り欠き部７ｃ，７ｄが形成されている。
【００７８】
これにより、上部ディスク保持部材７ａ及び下部ディスク保持部材７ｂとベース部材３との間にディスク１３が収納された際に、ディスク１３の先端部を切り欠き部７ｃ，７ｄに嵌め込みディスク１３をさらに奥に収納することができるため、ディスク１３の出し入れ方向Ｘにおけるサイズを小さくすることができる。
【００７９】
上記実施形態におけるディスク収納ケース１は、上述した構成に加えてさらに、ベース部材３の第３端辺３ｃで折り返して上部ディスク保持部材７ａ及び下部ディスク保持部材７ｂとベース部材３との間に配置するシート部材であって、折り返した上部ディスク保持部材７ａ及び下部ディスク保持部材７ｂ並びにベース部材３とともに第３端辺３ｃ近傍で溶着部７ｅ，７ｆによって固定された中間部材１０を有することを特徴とする。
【００８０】
これにより、上部ディスク保持部材７ａ及び下部ディスク保持部材７ｂとベース部材３との間に配置する中間部材１０は、これら上部ディスク保持部材７ａ及び下部ディスク保持部材７ｂとベース部材３との間に２つの隙間を形成する。すると、上部ディスク保持部材７ａ及び下部ディスク保持部材７ｂと中間部材１０との間の隙間にはディスク１３を収納することができる一方、この中間部材１０とベース部材３との隙間には、例えばディスク１３に関するジャケット８を収納することができる。また、このディスク収納ケース１は、中間部材１０が存在しているため、ディスク１３を収納した際に、上部ディスク保持部材７ａ及び下部ディスク保持部材７ｂとベース部材３とでディスク１３を保持するのみならず、中間部材１０でもディスク１３を保持することになるため、これらベース部材３、上部ディスク保持部材７ａ及び下部ディスク保持部材７ｂの厚みを従来よりも薄くしても、従来のディスク収納ケースと同程度の強度を確保することができる。
【００８１】
上記実施形態におけるディスク収納ケース１は、上述した構成に加えてさらに、上部ディスク保持部材７ａ及び下部ディスク保持部材７ｂとベース部材３との間には、ディスク１３のディスク面１３ａを保護する不織布１１（保護部材）が配置していることを特徴とする。
【００８２】
これにより、上部ディスク保持部材７ａ及び下部ディスク保持部材７ｂとベース部材３との間にディスク１３を収納すると、ディスク面１３ａが不織布１１によって保護され、傷が付きにくくなる。さらにこのディスク収納ケース１では、ディスク１３の両面に不織布１１が配置しないため、ディスク１３を出し入れし易いながらディスク面１３ａを確実に保護することができる。
【００８３】
上記実施形態におけるディスク収納ケース１は、上述した構成に加えてさらに、中間部材１０とベース部材３との間に形成された隙間であって、ディスク１３を装飾するジャケット８の少なくとも一部を挿入可能なジャケット収納部４ｂを有することを特徴とする。
【００８４】
これにより、見開き可能なジャケット８の一方のページをこのジャケット収納部４ｂに挿入することで、このジャケット８を見開きの状態で収納することができる。
【００８５】
上記実施形態におけるディスク収納ケース１の製造方法は、ディスクを収納するための樹脂製のディスク収納ケース１の製造方法であって、ディスク１３を収納した際にディスク１３を保持する矩形のベース部材３と、ディスク１３の出し入れ方向に沿ったベース部材３の２辺を構成する第１端辺３ａ及び第２端辺３ｂを介して各々連続している上部ディスク保持部材７ａ及び下部ディスク保持部材７ｂと、第２端辺３ｂ及び第２端辺３ｂとともにベース部材３の外縁を構成する第３端辺３ｃ及び第４端辺３ｄのうち第４端辺３ｄを介して連続するカバー部材５とを有する、シート部材を形成するシート部材形成ステップと、前記上部ディスク保持部材７ａを第１端辺３ａで折り返してベース部材３に対向させるとともに、下部ディスク保持部材７ｂを第２端辺３ｂで折り返してベース部材３に対向させるディスク保持部材折り返しステップと、折り返した上部ディスク保持部材７ａ及び下部ディスク保持部材７ｂ並びにベース部材３とともに第３端辺３ｃ近傍で溶着部７ｅ，７ｆによって固定する溶着ステップと、カバー部材５を第４端辺３ｄにて折り返してベース部材３に対して折り畳み可能とするカバー部材形成ステップとを有する。
【００８６】
これにより、ディスク保持部材折り返しステップでは、上部ディスク保持部材７ａ及び下部ディスク保持部材７ｂをベース部材３に溶着する代わりに、各々第１端辺３ａ及び第２端辺３ｂで折り返しにより上部ディスク保持部材７ａ及び下部ディスク保持部材７ｂをベース部材３に対応させている。このためディスク収納ケース１は、第１端辺３ａ及び第２端辺３ｂのいずれにもこれらを溶着する溶着部７ｅ，７ｆを形成する必要がないため、ディスクの出し入れ方向Ｘに垂直な幅方向（幅方向Ｙに相当）において幅を小さくすることができる。このため、この製造方法により製造されたディスク収納ケース１は、全体として従来よりも小型化を図ることができる。
【００８７】
上記実施形態におけるディスク収納ケース１の製造方法においては、上述した手順に加えてさらに、シート形成ステップでは、シート部材に、上部ディスク保持部材７ａ及び下部ディスク保持部材７ｂとベース部材３との間にディスク１３が収納された際に、第３端辺３ｃ付近におけるディスク１３の先端部が当たる上部ディスク保持部材７ａ及び下部ディスク保持部材７ｂの少なくとも一方の部分に切り欠き部７ｃ，７ｄを形成しておく。
【００８８】
これにより、上部ディスク保持部材７ａ及び下部ディスク保持部材７ｂとベース部材３との間にディスク１３が収納された際に、ディスク１３の先端部を切り欠き部７ｃ，７ｄに嵌め込みディスク１３をさらに奥に収納することができるため、ディスク１３の出し入れ方向Ｘにおけるサイズを小さくすることができる。
【００８９】
また、以上既に述べた以外にも、上記実施形態や各変形例による手法を適宜組み合わせて利用しても良い。
上記実施形態においては、主としてディスク収納ケース１に中間部材１０が存在する形態を例示したが、上述したように中間部材１０が存在しない形態であっても良い。また、上記実施形態においては、上部ディスク保持部材７ａ及び下部ディスク保持部材７ｂの形状は、上述した形状に限られず、ディスク１３を不織布１１との間で保持することができればいかなる形態を採用しても良い。
【００９０】
その他、一々例示はしないが、本発明は、その趣旨を逸脱しない範囲内において、種々の変更が加えられて実施されるものである。
【図面の簡単な説明】
【００９１】
【図１】本実施形態のディスク収納ケースの全体構造を表す斜視図である。
【図２】図１に示すディスク収納ケースを折り畳んだ状態の一例を示す斜視図である。
【図３】図１に示すディスク収納ケースのベース部材の断面構成例を表す部分断面図である。
【図４】図１に示すディスク収納ケースのベース部材の断面構成例を表す部分断面図である。
【図５】図３に示すディスク収納ケースの第１端辺近傍をＡ−Ａ’線で切断した場合における断面図である。
【図６】図４に示すディスク収納ケースにディスクを収納して第１端辺近傍をＡ−Ａ’線で切断した場合における部分断面図である。
【図７】図４に示すディスクを収容しているディスク収納ケースの収納部本体の一部を拡大した構成例を示す正面図である。
【図８】ディスク収納ケースにジャケットを装着する様子の一例を示す斜視図である。
【図９】ディスク収納ケースにジャケットを装着する様子の一例を示す斜視図である。
【図１０】図１に示すディスク収納ケースを製造するためのシート部材を広げた構成例を示す正面図である。
【図１１】図１に示すディスク収納ケースを製造するためのシート部材を広げた構成例を示す正面図である。
【図１２】ディスク収納ケースを製造する手順の一例を示す斜視図である。
【図１３】ディスク収納ケースを製造する手順の一例を示す斜視図である。
【図１４】ディスク収納ケースを製造する手順の一例を示す斜視図である。
【図１５】ディスク収納ケースを製造する手順の一例を示す斜視図である。
【図１６】ディスク収納ケースを製造する手順の一例を示す斜視図である。
【図１７】ディスク収納ケースを製造する手順の一例を示す斜視図である。
【図１８】ディスク収納ケースを製造する手順の一例を示す斜視図である。
【符号の説明】
【００９２】
１                ディスク収納ケース
３                ベース部材（第１ディスク保持部材）
３ａ              第１端辺
３ｂ              第２端辺
３ｃ              第３端辺
３ｄ              第４端辺
４                収納部本体
４ａ              ディスク収納部
４ｂ              ジャケット保持部
５                カバー部材
７ａ              上部ディスク保持部材（第２ディスク保持部材及び第３ディスク保持部材の一方）
７ｂ              下部ディスク保持部材（第２ディスク保持部材及び第３ディスク保持部材の他方）
８                ジャケット
１０              中間部材
１１              不織布（保護部材）
１３              ディスク
Ｘ                ディスクの出し入れ方向
Ｙ                幅方向
【図１】
0005110514.tif 000002
【図２】
0005110514.tif 000003
【図３】
0005110514.tif 000004
【図４】
0005110514.tif 000005
【図５】
0005110514.tif 000006
【図６】
0005110514.tif 000007
【図７】
0005110514.tif 000008
【図８】
0005110514.tif 000009
【図９】
0005110514.tif 000010
【図１０】
0005110514.tif 000011
【図１１】
0005110514.tif 000012
【図１２】
0005110514.tif 000013
【図１３】
0005110514.tif 000014
【図１４】
0005110514.tif 000015
【図１５】
0005110514.tif 000016
【図１６】
0005110514.tif 000017
【図１７】
0005110514.tif 000018
【図１８】
0005110514.tif 000019